(57)【要約】【課題】斬新な演出性と長期保存性の両立を実現することができるハーバリウム装飾品を提供する。【解決手段】容器１２と、容器１２に貯溜されたオイル１４と、オイル１４に浸漬された飾り物１６と、を有し、オイル１４は、石油系炭化水素（鉱油）で構成され、飾り物１６には劣化を抑制するためのレジン加工が施され、オイル１４に飾り物１６が浸漬されることにより、飾り物１６がオイル中に浮いた状態で、その美しさが際立ち、かつ飾り物１６の劣化を抑制する。【選択図】      図１
0003215468.tif 000002
【実用新案登録請求の範囲】
【請求項１】
容器と、前記容器に貯溜されたオイルと、前記オイルに浸漬された飾り物と、を有することを特徴とするハーバリウム装飾品。
【請求項２】
前記オイルは、石油系炭化水素（鉱油）で構成されていることを特徴とする請求項１に記載のハーバリウム装飾品。
【請求項３】
前記オイルは、シリコンオイルで構成されていることを特徴とする請求項１に記載のハーバリウム装飾品。
【請求項４】
前記飾り物には、劣化を抑制するためのレジン加工が施されていることを特徴とする請求項１乃至３のいずれか１項に記載のハーバリウム装飾品。
【請求項５】
前記飾り物は、前記容器の高さ方向に沿って複数配置されており、
前記飾り物の上方に位置する部位は、下方に位置する部位からの反力と、前記オイルに起因した浮力と、の合力によって高さ方向に位置決めされていることを特徴とする請求項１乃至４のいずれか１項に記載のハーバリウム装飾品。
【請求項６】
前記飾り物は、花等の植物又は果物で構成されていることを特徴とする請求項１乃至５のいずれか１項に記載のハーバリウム装飾品。
【考案の詳細な説明】
【技術分野】
【０００１】
本考案は、例えば、容器に保存用オイルと共にドライフラワーあるいはプリザーブドフラワーを入れたハーバリウム装飾品に関する。
【背景技術】
【０００２】
従来から花を用いた装飾品について様々なものが知られている。
【０００３】
例えば、下記特許文献１は、従来の容器型インテリア用として、いわゆる花瓶の内部に装飾品を入れただけのものや、単純な形のものが多く一か所だけに蓋をするという単調な形のものであって、デザイン性の優れたものはほとんどなかったという課題に対して、対向する一対の板状部材と、該板状部材で囲まれた空間に配置される柱状部材で形成され、少なくとも板状部材の１枚が透明もしくは半透明であり、かつ、板状部材の一方が他方よりも垂直方向に頭頂部までの距離が長径となし、板状部材の一方を正面として水平面に置くと空間に入る飾り物が斜め上方を向く飾り物用容器が提案されている。
【０００４】
下記特許文献１によれば、容器そのものがデザイン性にすぐれ、かつ安定していて内部に収納している装飾品をよりきれいに効果的に見せるために、置き方を工夫するなどによって同一のインテリア用品が多様に使用できる。
【０００５】
下記特許文献２は、容器としての耐久性および加工花の保存性に優れるとともに、観賞用としての容器の装飾性および加工花の視認性に優れた容器および写真入りの加工花記念置物を提供するという課題に対して、透明性ガラス、及び樹脂を使用した１００ｍＬ〜３０００ｍＬの密閉容器本体内に、加工花と写真立を構成し、前記容器本体内での加工花と写真立の目視面での比率を加工花に対して０．３〜０・７であり、長期間の保存と記念品として加工花入り記念置が提案されている。
【０００６】
下記特許文献２によれば、加工花入り記念置物に愛玩動物、人物の写真等を組み合わせ配置することにより、ケース本体容器を観賞するときに、額の装飾のもと比べ加工花を全面に配置しているために前面及び側面からでも美しくかつ親しみを持って見る記念置物になる。
【０００７】
下記特許文献３は、プリザードフラワーをアレンジするための容器であって、美観に優れ、さらに、自然な花の香りを楽しむことを可能とするプリザードフラワーをアレンジするためのレース付き容器および補助容器を提供するという課題に対して、プリザードフラワーをアレンジするための容器の中に収める補助容器の開口部に花の香りがする香料を含有する装飾レースを設置し、美観に優れるとともに、観察者が自然な花の外観と香りを楽しむことが可能となるように、プリザードフラワーアレンジメント補助容器が提案されている。
【０００８】
下記特許文献３によれば、プリザードフラワーを美しく飾ることができるとともに、花の香りを楽しむことも可能となり、プリザードフラワーをアレンジした置物の価値を高めることができる。
【０００９】
下記特許文献４は、ドライフラワーや造花、人形、木の実、石、パール、籐製品等の装飾品などの色を保存したり、形を出来るだけ長期に保ったりするために、容器の内部に収納して飾り、室内の飾る場所や、置き方の多様性を持たせたインテリア用品を提供するという課題に対して、少なくとも１枚が透明もしくは半透明の同一サイズで且つ同一形状の２枚の板を平行に置き、この２枚の板を垂直に立てた時に２枚の板の間に形成される空間が密封されるように、曲面もしくは多面体、もしくは曲面と平面などを組み合わせた面で構成されるように設けたインテリア用品であって、空間の内部に装飾品を固定するように取り付けたことを特徴とするインテリア用品が提案されている。
【００１０】
下記特許文献４によれば、インテリア用品として机の上や家具の上に載置することができ、壁掛けとしても使用できる。また、立てたり寝かせたりして使うことも可能である。
【先行技術文献】
【特許文献】
【００１１】
【特許文献１】実用新案登録第３１７７０４９号
【特許文献２】実用新案登録第３１６６４３２号
【特許文献３】実用新案登録第３１３５３９７号
【特許文献４】実用新案登録第３１２３８４３号
【考案の概要】
【考案が解決しようとする課題】
【００１２】
しかしながら、上記特許文献１では、空間が密閉空間である場合には、水分を含んでいないものの方が好ましいとされており、飾り物を魅せる演出性に限度が生じ、かつ飾り物が酸化等により劣化するため、飾り物の長期保存には適しなかった。
【００１３】
上記特許文献２では、加工花と写真立を組み合わせた方向の演出性を発揮することができたとしても、加工花だけの演出性の深みを表現することができなかった。
【００１４】
上記特許文献３では、花の香りを楽しむことが可能となるものの、花の演出性に斬新性がなく、飾り物を魅せる工夫において限度がある。
【００１５】
上記特許文献４では、上記特許文献１と同様の課題が生じる。
【００１６】
そこで、本考案は、上記問題を解決するためのものであり、斬新な演出性と長期保存性の両立を実現することができるハーバリウム装飾品を提供することを目的とする。
【課題を解決するための手段】
【００１７】
本考案は、容器と、前記容器に貯溜されたオイルと、前記オイルに浸漬された飾り物と、を有するハーバリウム装飾品である。
【００１８】
この場合、前記オイルは、石油系炭化水素（鉱油）で構成されていることが好ましい。
【００１９】
また、前記オイルは、シリコンオイルで構成されていることが好ましい。
【００２０】
この場合、前記飾り物には、劣化を抑制するためのレジン加工が施されていることが好ましい。
【００２１】
この場合、前記飾り物は、前記容器の高さ方向に沿って複数配置されており、
前記飾り物の上方に位置する部位は、下方に位置する部位からの反力と、前記オイルに起因した浮力と、の合力によって高さ方向に位置決めされていることが好ましい。
【００２２】
この場合、前記飾り物は、花等の植物又は果物で構成されていることが好ましい。
【考案の効果】
【００２３】
本考案によれば、オイルに飾り物が浸漬されることにより、飾り物がオイル中に浮いた状態で、飾り物の美しさが際立ち、かつ飾り物の劣化を抑制できる。
【００２４】
また、オイルは、石油系炭化水素（鉱油）で構成されているため、腐食し難く、かつ透明度が向上する。
【００２５】
また、飾り物には劣化を抑制するためのレジン加工が施されているため、飾り物の劣化を抑制できる。また、飾り物はオイルに浸漬されており、斬新な演出性を発揮する。これにより、斬新な演出性と長期保存性の両立を図ることができる。
【００２６】
上方に位置する部位は、下方に位置する部位からの反力と、オイルに起因した浮力と、の合力によって高さ方向に位置決めされているため、飾り物の姿勢や位置が崩れることを防止できる。
【００２７】
飾り物が花等の植物又は果物で構成されていることにより、花等の植物や果物がもつ神秘な美しさを引き出し、斬新な演出性を発揮できる。
【図面の簡単な説明】
【００２８】
【図１】本考案の一実施形態のハーバリウム装飾品の正面図である。
【考案を実施するための形態】
【００２９】
本考案の一実施形態に係るハーバリウム装飾品について、図面を参照して説明する。図１は、３本のハーバリウム装飾品を並べた状態の正面図である。
【００３０】
図１に示すように、ハーバリウム装飾品１０は、ガラス製の容器１２に植物体から抽出した芳香性を有する精油と共にドライフラワーやプリザーブドフラワーを入れた置物である。
【００３１】
ハーバリウム装飾品１０は、容器１２と、容器１２に貯溜されたオイル１４と、オイル１４に浸漬された飾り物１６と、を有している。
【００３２】
容器１２は、おおむね筒状のものであり、無色・透明又は有色・透明のガラス製で構成されている。容器１２の内部にオイル１４が充填され、蓋１８で密閉される。
【００３３】
なお、ガラス製に限定されず、樹脂等の他の材質で構成されていてもよい。
【００３４】
オイル１４は、植物体から抽出した芳香性を有する精油である。具体的には、オイル１４の化学名は、石油系炭化水素（鉱油）が用いられる。化学品の名称は、ＳｕｉＲｅｎＣａ  ＯＩＬ（流動パラフィン）である。
【００３５】
オイル１４は、シリコンオイルを用いてもよい。
【００３６】
飾り物１６は、例えば、花や果物が用いられる。花の場合には、ドライフラワーやプリザーブドフラワーとなったものが用いられる。果物の場合も、ドライタイプやプリザーブドタイプのものが用いられる。
【００３７】
飾り物１６には、劣化を抑制するためのレジン加工が施されている。レジン加工とは、作業者の手で飾り物１６の表面に対して紫外線硬化樹脂（液体、レジン液）が直接塗布される。これにより、レジン液が紫外線（例えば太陽光）と反応して硬化し、飾り物１６の表面が保護（コーティング）される。
【００３８】
ここで、オイル１４は、レジン液と相性の良いものが選択される。すなわち、上記した石油系炭化水素（鉱油）を用いることにより、レジン液がオイル１４によって浸食されず、溶融されない。このため、飾り物１６がオイル１４に直接接触せず、オイル１４によって浸食されたり、化学反応により腐食することを阻止できる。この結果、飾り物１６が腐食等せずに、その状態が長期間保存される。
【００３９】
また、飾り物１６は、容器１２の高さ方向に沿って複数配置されており、上方に位置する部位は、下方に位置する部位からの反力と、オイル１４に起因した浮力と、の合力によって容器１２の高さ方向に位置決めされている。これにより、飾り物１６の姿勢や位置が崩れることを防止できる。
【００４０】
例えば、図１では、飾り物１６として、複数種類の果物や花等の植物が存在すれば、高さ方向に積層されていき、上方に位置する飾り物１６の部位が、下方に位置する飾り物１６の部位に支持される。両者は異なる種類の果物や植物でもよいし、単一種類の果物又は植物であって連結されている部位のうち上方の部位を下方の部位で支持する構造でもよい。
【００４１】
次に、本実施形態のハーバリウム装飾品１０の作用効果について説明する。
【００４２】
図１に示すように、オイル１４に飾り物１６が浸漬されることにより、飾り物１６がオイル中に浮いた状態で、飾り物１６の美しさが際立ち、かつ飾り物１６の劣化を抑制できる。これにより、ハーバリウム装飾品１０の斬新な演出性と長期保存性の両立を実現することができる。
【００４３】
オイル１４は、石油系炭化水素（鉱油）で構成されているため、腐食し難く、かつ透明度が向上する。これにより、ハーバリウム装飾品１０の装飾効果が高くなる。
【００４４】
なお、飾り物１６は、花等の植物や果物に限定されるものではなく、他のモノも容器１２に収納することで演出性が発揮される。
【００４５】
なお、上記構成は、本考案の一実施形態を示したものであり、実用新案登録請求の範囲が上記構成に限定される趣旨ではない。本考案の技術的思想が権利範囲として保護されるべきであるところ、当業者による設計変更程度は、本実用新案登録請求の範囲に含まれるべきものである。
【符号の説明】
【００４６】
１０      ハーバリウム装飾品
１２      容器
１４      オイル
１６      飾り物
１８      蓋
【図１】
0003215468.tif 000003